(57)【要約】【課題】  画像を撮像する際に、撮像に関する処理制御の負担を軽減することができるカメラ付き電子機器を提供する。【解決手段】  本発明に係るカメラ付き電子機器は、撮像機能を含む複数の機能を備え、複数の機能の実行に伴う各種情報を表示する表示部と、表示部の表示制御を含むユーザーインターフェース処理を行う制御手段と、画像を撮像し、撮像画像情報を取得するカメラ部と、を備え、カメラ部は、撮像時の該カメラ部の状態を表す情報を、画像として撮像画像情報に重畳させた合成画像情報を生成する表示処理手段を備え、制御手段は、合成画像情報に基づく画像を表示部に表示させる。【選択図】  図１
2006186801.tif 000002
【特許請求の範囲】
【請求項１】
撮像機能を含む複数の機能を備えたカメラ付き電子機器であって、
前記複数の機能の実行に伴う各種情報を表示する表示部と、
前記表示部の表示制御を含むユーザーインターフェース処理を行う制御手段と、
画像を撮像し、撮像画像情報を取得するカメラ部と、を備え、
前記カメラ部は、撮像時の該カメラ部の状態を表す情報を、画像として前記撮像画像情報に重畳させた合成画像情報を生成する表示処理手段を備え、
前記制御手段は、前記合成画像情報に基づく画像を前記表示部に表示させるカメラ付き電子機器。
【請求項２】
請求項１に記載のカメラ付き電子機器であって、
前記カメラ部の状態を表す情報は、オートフォーカス、露光、手ぶれ警告の少なくとも１つに関する情報であるカメラ付き電子機器。
【請求項３】
請求項１又は２に記載のカメラ付き電子機器であって、
前記複数の機能の内の１つは、他の電子機器との間で通信を行う機能であるカメラ付き電子機器。
【発明の詳細な説明】
【技術分野】
【０００１】
本発明は、カメラ付き電子機器に関する。
【背景技術】
【０００２】
撮像機能を含む複数の機能を備えた電子機器としては、例えば、下記特許文献１に示すような、カメラ付き携帯電話機が知られている。このようなカメラ付き携帯電話機は、ＬＣＤ等の表示部を備えており、表示部には、通信機能及び撮像機能に関連する各種情報が表示される。表示すべき情報には、携帯電話機の状態等を示す文字情報も含まれ、撮像時の状態を文字情報で表示する際には、ＯＳＤ（On Screen Display）機能によって撮像画像に重畳表示される。例えば、オートフォーカス完了信号、自動露光（ＡＥ）完了信号、手ぶれ警告信号、絞り／シャッタースピード値等の状態信号を示す文字情報が撮像画像情報に重畳されて表示される。
【０００３】
しかし、このようなＯＳＤ処理は、携帯電話機全体の表示制御を共通に行う制御部で行われるため、応答性の向上が困難である。すなわち、カメラ部から制御部へ送信された撮像画像情報に撮像の状態を表す情報を重畳するといったＯＳＤ処理を行うため、文字情報の表示に遅れが生じる。また、制御部における処理負担も大きい。
【０００４】
【特許文献１】特開２００１−８６０４６号公報
【発明の開示】
【発明が解決しようとする課題】
【０００５】
本発明は、上記事情に鑑みてなされたもので、その目的は、カメラ部による撮像時の処理負担を軽減するとともにカメラ部の状態情報の表示速度を向上させることができるカメラ付き電子機器を提供することにある。
【課題を解決するための手段】
【０００６】
本発明の上記目的は、撮像機能を含む複数の機能を備えたカメラ付き電子機器であって、前記複数の機能の実行に伴う各種情報を表示する表示部と、前記表示部の表示制御を含むユーザーインターフェース処理を行う制御手段と、画像を撮像し、撮像画像情報を取得するカメラ部と、を備え、前記カメラ部は、撮像時の該カメラ部の状態を表す情報を、画像として前記撮像画像情報に重畳させた合成画像情報を生成する表示処理手段を備え、前記制御手段は、前記合成画像情報に基づく画像を前記表示部に表示させるカメラ付き電子機器によって達成される。
【０００７】
本発明のカメラ付き電子機器は、画像を撮像する際に、カメラ部に設けられた表示処理手段が、カメラ部の状態を表す情報を撮像画像情報に重畳させて合成画像情報を生成するので、従来のカメラ付き携帯電話機のようにユーザーインターフェース処理を行う制御手段でカメラ部の状態を表す情報を撮像画像情報に重畳させる処理を実行する必要がない。このようにカメラ部で合成画像情報を生成することで、カメラ部の状態を表す文字情報の表示に遅れが生じることを防止できる。また、制御部における処理負担を軽減することができる。
【発明の効果】
【０００８】
本発明によれば、画像を撮像する際に、撮像に関する処理制御の負担を軽減することができるカメラ付き電子機器を提供できる。
【発明を実施するための最良の形態】
【０００９】
以下、本発明の実施形態を図面に基づいて詳しく説明する。
本実施形態では、カメラ付き電子機器の一例としてカメラ付き携帯電話機の構成を説明する。しかし、本発明におけるカメラ付き電子機器は、撮像機能を含む複数の機能を備えた電子機器であって、カメラ付き携帯電話機に限定されない。本発明に係るカメラ付き電子機器としては、例えば、撮像機能を備えたＰＨＳ（Personal Handy Phone System）若しくはＰＤＡ（Personal Digital Assistance）等の端末装置であってもよい。
【００１０】
図１は、本発明に係るカメラ付き電子機器の構成を説明するブロック図である。図１に示すように、本実施形態のカメラ付き電子機器１０は、被写体を撮像可能なカメラ部１１と、他の端末装置や通信基地局に対して情報を通信データとして送信及び受信可能な通信部１２と、カメラ部１１及び通信部１２に電気的に接続された制御部１３と、該制御部１３に電気的に接続され、ユーザーに対して視認できるように情報を表示する表示部１４と備えている。
【００１１】
カメラ部１１は、撮像した画像の電子情報を撮像し、撮像した画像の情報（以下、撮像画像情報という。）を制御部１３に出力する機能を有している。カメラ部１１は、端末装置１０の本体に内蔵された、例えば、数十〜数百万画素のＣＣＤ（Charge Coupled Device）である。
【００１２】
また、カメラ部１１は、制御部１３からの信号に応じて、カメラ部１１の被写体に対する撮像部の焦点を合わせる処理（ＡＦ処理）、自動的に露光を調整する自動露光処理（ＡＥ処理），手ぶれを検出してユーザーに知らせるため警告信号を出力する処理，シャッター速度を調整する処理，及び，絞りを調整する処理を行う機能を有している。
【００１３】
通信部１２は、制御部１３からの通信を行う旨の指示の信号や外部からの信号の受信に応じて、他の電子機器と情報の送受信を行うことができる構成であり、情報通信処理を行うため、アンテナ，受信回路を備えていてもよい。通信時には、通信の状態を表す通信情報が通信部１２から制御部１３に出力される。
【００１４】
表示部１４は、通信部１２の通信機能やカメラ部１１の撮像機能の実行に伴う各種情報を表示することができる。表示部１４としては、例えば、ＬＣＤを用いることができる。
【００１５】
制御部１３は、通信部１２及びカメラ部１１から入力されたそれぞれの機能の実行に伴う各種の情報に表示制御を行い、その後、表示部１４に該情報を表示させる制御手段として機能する。制御部１３における表示制御には、通信部１２及びカメラ部１１から取得した情報を、ユーザーが視認し易い形式に変換して表示部１４に表示させるためのユーザーインターフェース処理が含まれる。
【００１６】
カメラ付き電子機器１０には、制御部１３に配線を介して接続された、図示しない操作部が設けられていてもよい。操作部には、通信時や撮像時に、ユーザーが処理動作の起動や切り替え、通信又は撮像のための指示の選択及び決定等を行うためのカーソルキーやダイヤルキーが設けられている。ユーザーは、これらのキーを手動で操作することで、カメラ付き電子機器１０に所望の動作状態に設定することができる。操作部による操作の内容をユーザーが表示部１４で視認できるようにしてもよい。
【００１７】
カメラ部１１は、被写体を撮像し、撮像画像情報を生成する撮像部１５と、撮像部１５から撮像画像情報を入力され、該撮像画像情報に他の情報を重畳する処理を実行する撮像制御部１６、とを備えている。
【００１８】
撮像制御部１６は、撮像時のカメラ部１１の状態を表す情報を、撮像画像情報に画像として重畳させたが合成画像情報を生成する表示処理手段として機能する。カメラ部１１の状態を表す情報とは、ＡＦ，ＡＥ，手ぶれ警告，及び，シャッタースピード若しくは絞りの調整のうち少なくとも１つに関する情報である。
【００１９】
図２は、図１のカメラ付き電子機器による撮像時の制御手順を示すフローチャートである。以下、撮像時にＡＦ処理をした場合を例にとって説明する。
【００２０】
先ず、撮像する際に、ユーザーがＡＦ処理を起動する（ステップＳ１１）。
制御部１３は、ＡＦ処理の起動に基づいて、カメラ部１１にＡＦ処理を行う旨の指示の信号を送信する（ステップＳ１２）。制御部１３からのＡＦ処理の指示に応じて、カメラ部１１においてＡＦ処理が行われる（ステップＳ１３）。
【００２１】
ＡＦ処理の完了後に（ステップＳ１４）、ＡＦ処理が完了した旨の情報が生成される。その後、カメラ部１１の撮像制御部１６において、撮像した画像にＡＦ処理が完了した旨の情報がＯＳＤ機能によって重畳される処理が実行され、合成画像情報が生成される（ステップＳ１５）。そして、合成画像情報が制御部１３に出力される。
【００２２】
制御部１３は、カメラ部から取得した合成画像情報についてはＯＳＤ機能によって情報を重畳させる処理を行う必要がないため、そのまま表示部１４に表示させる処理を実行する（ステップＳ１６）。この結果、ユーザーは、表示部１４に表示された合成画像情報によって、撮像される画像とＡＦ処理の完了を同時に確認し、その後、撮影処理を実行する（ステップＳ１７）。
【００２３】
従来のカメラ付き携帯電話機のように、制御部でＯＳＤ機能によって画像情報にＡＦ完了等の情報を重畳させる処理をする構成のものでは、カメラ部でのＡＦ完了後に、撮像する画像の情報とは別途に制御部に対してＡＦ完了通信を行う必要があった。すなわち、図２を参照すると、ステップＳ１４の後に、制御部へのＡＦ完了通信を行うステップと、制御部がこのＡＦ完了通信に応じてユーザーにＡＦ完了を表示部やＬＥＤ等によって通知するステップが必要となっていた。
【００２４】
しかし、本実施形態のカメラ付き電子機器１０のように、カメラ部１１において撮像した画像とＡＦ完了等の撮像の状態を表す情報とを重畳させて１つの情報（合成画像情報）にしたうえで、制御部に出力するため、制御部においてこのような重畳させる処理を行う必要がない。
【００２５】
このように、本実施形態のカメラ付き電子機器１０は、画像を撮像する際に、カメラ部１１に設けられた表示処理手段１６が、カメラ部１１の状態を表す情報を撮像画像情報に重畳させて合成画像情報を生成するので、従来のカメラ付き携帯電話機のようにユーザーインターフェース処理を行う制御手段でカメラ部の状態を表す情報を撮像画像情報に重畳させる処理を実行する必要がない。このようにカメラ部１１で合成画像情報を生成することで、カメラ部１１の状態を表す文字情報を表示部１４に表示させる場合に遅れが生じることを防止できる。また、制御部１３における処理負担を軽減することができる。
【図面の簡単な説明】
【００２６】
【図１】本発明に係るカメラ付き電子機器の構成を説明するブロック図である。
【図２】図１のカメラ付き電子機器による撮像時の制御手順を示すフローチャートである。
【符号の説明】
【００２７】
１０    カメラ付き電子機器
１１    カメラ部
１２    通信部
１３    制御部（制御手段）
１４    表示部
１５    撮像部
１６    撮像制御部（表示処理手段）
【図１】
2006186801.tif 000003
【図２】
2006186801.tif 000004